(57)【要約】【課題】  運転時の低騒音化と所要スペースの小型化を実現する手乾燥装置を提供する。【解決手段】  本発明の手乾燥装置１は、手乾燥部４となる上方に開口した開口凹部をその上端部に形成したハウジング２と、ハウジングの下方部分に設けられた空気取入口２２と、開口凹部を形成するハウジングの掌側及び甲側内壁面４ａ，４ｂにそれぞれ設けられた掌側用及び甲側用ノズル６ａ，６ｂと、ハウジング内の空気取入口に隣接して設けられ、空気吸込口１４ｂと空気吹出口１６ｂを備えた甲側用ファンモータユニット８ｂと、このユニットの上方に且つこのユニットと幅方向に重なるように配置され、空気吸込口１４ａと空気吹出口１６ａを備えた掌側用ファンモータユニット８ａと、空気取入口から各空気吸込口１４ａ，１４ｂまでそれぞれ延びる吸気ダクト２４ａ，２４ｂと、各空気吹出口１６ａ，１６ｂから各ノズルまで延びる吹出ダクト３０ａ，３０ｂと、を有する。【選択図】      図１
2006075499.tif 000002
【特許請求の範囲】
【請求項１】
使用者の手の甲と掌の両側に空気を吹き付けて乾燥させる手乾燥装置であって、
使用者の手が挿入される手乾燥部となる上方に開口した開口凹部をその上端部に形成したハウジングと、
上記ハウジングの下方部分に設けられた空気取入口と、
上記開口凹部を形成するハウジングの甲側内壁面に設けられ上記手乾燥部に空気を吹出す第１空気吹出部と、
上記開口凹部を形成するハウジングの掌側内壁面に設けられ上記手乾燥部に空気を吹き出す第２空気吹出部と、
上記ハウジング内の上記空気取入口に隣接して設けられ、第１駆動軸、空気を吸い込む第１空気吸込口、空気を吹出す第１空気吹出口を備えた第１ファンモータ手段と、
上記第１ファンモータ手段の上方に配置され、第２駆動軸、空気を吸い込む第２空気吸込口、空気を吹出す第２空気吹出口を備えた第２ファンモータ手段と、
上記空気取入口から上記第１ファンモータ手段の上記第１空気吸込口まで延びる第１吸気ダクトと、
上記空気取入口から上記第２ファンモータ手段の上記第２空気吸込口まで延びる第２吸気ダクトと、
上記第１ファンモータ手段の上記第１空気吹出口から上記第１空気吹出部まで延びる第１吹出ダクトと、
上記第２ファンモータ手段の上記第２空気吹出口から上記第２空気吹出部まで延びる第２吹出ダクトと、を有することを特徴とする手乾燥装置。
【請求項２】
上記第２ファンモータ手段は、上記第１ファンモータ手段とその一部が幅方向に重なるように配置されている請求項１記載の手乾燥装置。
【請求項３】
上記第１ファンモータ手段は、上記ハウジングの前後方向で水平方向に延びる第１駆動軸と、この第１駆動軸の後方側に位置する第１空気吸込口と、上記第１駆動軸の上方側に位置する第１空気吹出口を備え、
上記第２ファンモータ手段は、上記ハウジングの前後方向で水平方向に延びる第２駆動軸と、この第２駆動軸の後方側に位置する第２空気吸込口と、上記第２駆動軸の上方側に位置する第２空気吹出口を備えている請求項１又は２に記載の手乾燥装置。
【請求項４】
上記第１吸気ダクトは、上記空気取入口から上記第１ファンモータ手段の上記第１空気吸込口まで上記ハウジングの背面側内壁面に沿って延び、
上記第２吸気ダクトは、上記空気取入口から上記第２ファンモータ手段の上記第２空気吸込口まで上記ハウジングの背面側内壁面に沿って延びる請求項１乃至３の何れか１項に記載の手乾燥装置。
【請求項５】
上記第１吹出ダクトは、上記第１ファンモータ手段の上記第１空気吹出口から上記ハウジングの背面側内壁面に向って斜め上方に延び、さらに、上記開口凹部の甲側内壁面の裏面に沿って上記第１空気吹出部まで延び、
上記第２吹出ダクトは、上記第２ファンモータ手段の上記第２空気吹出口から上記ハウジングの正面側内壁面及び上記開口凹部の掌側内壁面の裏面に沿って上記第２空気吹出部まで延びる請求項１乃至４の何れか１項に記載の手乾燥装置。
【請求項６】
上記第２吸気ダクトは、上記第１吸気ダクトよりも、その経路が長くなるように形成されている請求項１乃至５の何れか１項に記載の手乾燥装置。
【請求項７】
上記第２吹出ダクトは、上記第１吹出ダクトよりも、その経路が短くなるように形成されている請求項１乃至６の何れか１項に記載の手乾燥装置。
【請求項８】
上記第２吸気ダクトの平均断面積は、上記第１吸気ダクトの平均断面積よりも大きくなるように形成されている請求項１乃至７の何れか１項に記載の手乾燥装置。
【請求項９】
上記第２空気吹出部は、上記第２空気吹出口のほぼ真上に位置している請求項１乃至８の何れか１項に記載の手乾燥装置。
【請求項１０】
上記第２ファンモータ手段による上記手乾燥部への空気吹出量は、上記第１ファンモータ手段による上記手乾燥部への空気吹出量よりも多い請求項１乃至９の何れか１項に記載の手乾燥装置。
【請求項１１】
上記ハウジングの開口凹部の側面に、飛散した水滴を遮断し空気を外部に排出する風抜き手段が設けられている請求項１乃至１０の何れか１項に記載の手乾燥装置。
【発明の詳細な説明】
【技術分野】
【０００１】
本発明は、手乾燥装置に係り、特に、洗浄後の濡れた手を所定位置に配置すると、手の甲側及び掌側に自動的に風を送って乾燥させる手乾燥装置に関する。
【背景技術】
【０００２】
従来から、洗浄後の濡れた手を所定位置に配置すると、手の甲側及び掌側に自動的に風を送って乾燥させる手乾燥装置の代表的なものとしては、例えば、特許文献１に記載されたタイプのものが知られている。
この従来の手乾燥装置においては、手乾燥装置の全体を構成するハウジング内の下部に、鉛直方向に延びる回転軸を有する２台のファンモータがほぼ真横に並べて配置されており、ハウジングの上部には、濡れた手が上方から挿入されて配置される手挿入配置スペースが形成されている。
また、ハウジングの上部の手挿入配置スペースに面している部分には、手挿入配置スペース内の所定位置に配置した手の甲側及び掌側のそれぞれに向けて風が吹き出される甲側用吹出ノズルと掌側用吹出ノズルがそれぞれ設けられている。
各吹出ノズルは、別々の吹出ダクトを経て各ファンモータと連通している。手挿入配置スペース内に手を配置すると、センサがそれを検知して各ファンモータが作動するようになっている。ファンモータが作動すると、ファンモータの背面下方にある空気取入口から吸気ダクトを経て各ファンモータの吸込口に空気が吸込まれ、各ファンモータから独立に各吹出ノズルに送られた風が、手の甲側及び掌側のそれぞれに向けて吹き出されるようになっている。
このような従来の手乾燥装置では、各ファンモータの出力を調整して、手の甲側及び掌側に供給する風量の比率を変えることができるため、手の甲側及び掌側のそれぞれにおいて効率的な乾燥が行われる。
【０００３】
【特許文献１】特許３１４８４３５号公報
【発明の開示】
【発明が解決しようとする課題】
【０００４】
しかしながら、上述した従来の手乾燥装置においては、２台のファンモータがほぼ真横に並べて配置されているため、手乾燥装置のハウジングの横幅が、ファンモータ１台の横幅の２倍以上に相当する寸法を要するため、ファンモータの能力を維持しつつ、ハウジングをスリム化するには限界があるという問題がある。
また、従来の手乾燥装置においては、一般的に手の甲側と掌側で同一の風量で乾燥させた場合、掌側の方が乾燥しにくいことが知られており、掌側に供給する風量が手の甲側に供給する風量に比べて大きくなるように、掌側用のファンモータの回転を甲側用のファンモータの回転に比べて高速に設定したりしている。
さらに、従来の手乾燥装置では、ファンモータの背面下方にある空気取入口から各ファンモータの吸込口までの吸気ダクトの距離が共に等しいため、特に、より高速に回転している掌側用のファンモータで発生した大きな騒音の方が空気取入口等から漏出するという問題がある。
また、従来の手乾燥装置においては、各ファンモータから甲側用吹出ノズル及び掌側用吹出ノズルまでの各吹出ダクトについては、同様な形態となっているため、高回転に設定した方のファンモータにおける風量が大きい吹出ダクトでは風路抵抗が大きくなり、ファンモータの所要動力が大きくなるという問題がある。
【０００５】
そこで、本発明は、上述した従来技術の問題を解決するためになされたものであり、所定位置に配置された洗浄後の濡れた手に風を送るためのファンモータにおける所要動力を低減させると共に、運転時の低騒音化を実現する手乾燥装置を提供することを目的としている。
また、本発明は、さらに所要スペースの小型化を実現する手乾燥装置を提供することを目的としている。
【課題を解決するための手段】
【０００６】
上記の目的を達成するために、本発明は、使用者の手の甲と掌の両側に空気を吹き付けて乾燥させる手乾燥装置であって、使用者の手が挿入される手乾燥部となる上方に開口した開口凹部をその上端部に形成したハウジングと、上記ハウジングの下方部分に設けられた空気取入口と、上記開口凹部を形成するハウジングの甲側内壁面に設けられ上記手乾燥部に空気を吹出す第１空気吹出部と、上記開口凹部を形成するハウジングの掌側内壁面に設けられ上記手乾燥部に空気を吹き出す第２空気吹出部と、上記ハウジング内の上記空気取入口に隣接して設けられ、第１駆動軸、空気を吸い込む第１空気吸込口、空気を吹出す第１空気吹出口を備えた第１ファンモータ手段と、上記第１ファンモータ手段の上方に配置され、第２駆動軸、空気を吸い込む第２空気吸込口、空気を吹出す第２空気吹出口を備えた第２ファンモータ手段と、上記空気取入口から上記第１ファンモータ手段の上記第１空気吸込口まで延びる第１吸気ダクトと、上記空気取入口から上記第２ファンモータ手段の上記第２空気吸込口まで延びる第２吸気ダクトと、上記第１ファンモータ手段の上記第１空気吹出口から上記第１空気吹出部まで延びる第１吹出ダクトと、上記第２ファンモータ手段の上記第２空気吹出口から上記第２空気吹出部まで延びる第２吹出ダクトと、を有することを特徴としている。
このように構成された本発明においては、ハウジングの手乾燥部内に手を配置すると、第１及び第２ファンモータ手段が作動する。つぎに、空気取入口から第１及び第２吸気ダクトへ空気が取り込まれ、これらの空気は、第１及び第２吸気ダクトから第１及び第２ファンモータ手段の第１及び第２空気吸込口にそれぞれ吸込まれる。さらに、空気は、第１及び第２ファンモータ手段の第１及び第２空気吹出口から第１及び第２吹出ダクトにそれぞれ吹き出され、最終的には、第１及び第２空気吹出部から手乾燥部の内方へ吹き出される。
本発明によれば、第２ファンモータ手段が第１ファンモータ手段の上方に配置されているため、第２ファンモータ手段における所要動力を低減させると共に、手乾燥装置の運転時における低騒音化を実現することができる。
【０００７】
本発明において、第２ファンモータ手段は、上記第１ファンモータ手段とその一部が幅方向に重なるように配置されていることが好ましい。これにより、手乾燥装置の所要スペースの小型化を実現することができる。
本発明において、第１ファンモータ手段は、ハウジングの前後方向で水平方向に延びる第１駆動軸と、この第１駆動軸の後方側に位置する第１空気吸込口と、第１駆動軸の上方側に位置する第１空気吹出口を備え、第２ファンモータ手段は、上記ハウジングの前後方向で水平方向に延びる第２駆動軸と、この第２駆動軸の後方側に位置する第２空気吸込口と、上記第２駆動軸の上方側に位置する第２空気吹出口を備えていることが好ましい。これにより、手乾燥装置の所要スペースの小型化を実現することができる。
【０００８】
本発明において、第１吸気ダクトは、空気取入口から第１ファンモータ手段の第１空気吸込口までハウジングの背面側内壁面に沿って延び、第２吸気ダクトは、空気取入口から第２ファンモータ手段の第２空気吸込口までハウジングの背面側内壁面に沿って延びることが好ましい。これにより、第２ファンモータの作動音が空気取入口から漏れにくくなり、手乾燥装置の運転時における低騒音化を実現することができる。
【０００９】
本発明において、第１吹出ダクトは、第１ファンモータ手段の第１空気吹出口からハウジングの背面側内壁面に向って斜め上方に延び、さらに、開口凹部の甲側内壁面の裏面に沿って第１空気吹出部まで延び、第２吹出ダクトは、第２ファンモータ手段の第２空気吹出口からハウジングの正面側内壁面及び開口凹部の掌側内壁面の裏面に沿って第２空気吹出部まで延びることが好ましい。これにより、第２吹出ダクト内の風路抵抗の増加を抑制し、第２ファンモータにおける所要動力の増大を低減させることができる。
【００１０】
本発明において、第２吸気ダクトは、第１吸気ダクトよりも、その経路が長くなるように形成されていることが好ましい。これにより、第２ファンモータ手段の作動音が空気取入口から漏れにくくなり、手乾燥装置の運転時における低騒音化を実現することができる。
【００１１】
本発明において、第２吹出ダクトは、上記第１吹出ダクトよりも、その経路が短くなるように形成されていることが好ましい。これにより、第２吹出ダクト内の風路抵抗の増加を抑制し、第２ファンモータ手段における所要動力の増大を低減させることができる。
【００１２】
本発明において、第２吸気ダクトの平均断面積は、第１吸気ダクトの平均断面積よりも大きくなるように形成されていることが好ましい。これにより、第２吸気ダクト内の風路抵抗の増加を抑制し、第２ファンモータ手段における所要動力の増大を低減させることができる。
【００１３】
本発明において、第２空気吹出部は、上記第２空気吹出口のほぼ真上に位置していることが好ましい。これにより、第２吹出ダクトの風路抵抗が小さくなるように設定することができ、第２ファンモータ手段における所要動力の増大を低減させることができる。
【００１４】
本発明において、第２ファンモータ手段による手乾燥部への空気吹出量は、第１ファンモータ手段による手乾燥部への空気吹出量よりも多いことが好ましい。これにより、上端開口凹部内の手を掌側と甲側から迅速に乾燥させることができる。
【００１５】
本発明において、ハウジングの開口凹部の側面に、飛散した水滴を遮断し空気を外部に排出する風抜き手段が設けられていることが好ましい。これにより、開口凹部の側面から外部に水滴が飛散するのを防ぐと共に、開口凹部内の不快な風の吹き返しを低減させることができる。
【発明の効果】
【００１６】
本発明の手乾燥装置によれば、所定位置に配置された洗浄後の濡れた手に風を送るためのファンモータにおける所要動力を低減させると共に、運転時の低騒音化と所要スペースの小型化を実現することができる。
【発明を実施するための最良の形態】
【００１７】
以下、添付図面を参照して本発明の手乾燥装置の実施形態について説明する。
図１は、本発明の一実施形態による手乾燥装置を示す正面図であり、図２は、本発明の一実施形態による手乾燥装置を示す背面図である。
また、図３は、本発明の一実施形態による手乾燥装置を示す平面図であり、図４は、本発明の一実施形態による手乾燥装置を示す底面図である。
さらに、図５は、本発明の一実施形態による手乾燥装置を示す左側面図であり、図６は、図１に示す本発明の一実施形態による手乾燥装置のＡ−Ａ断面図であり、図７は、図１に示す本発明の一実施形態による手乾燥装置のＢ−Ｂ断面図である。
なお、図１、図２、図６及び図７では、手乾燥装置内部の空気の流れを矢印で示している。
【００１８】
図１〜図７に示すように、本実施形態の手乾燥装置１は、手乾燥装置本体を取り囲むハウジング２を備えている。このハウジング２の上部には、ハウジング２の上方からその内部へ並べた両手を挿入することができるように、上端が開口した上端開口凹部４が設けられている。
この上端開口凹部４は、そこに手を配置して風を当てて乾燥させる部分（手乾燥部）である。通常、掌をハウジング２の正面２ａ側に向け、手の甲をハウジング２の背面２ｂ側に向けた姿勢で、手をハウジング２の上方から上端開口凹部（手乾燥部）４内へ挿入するようになっている。
【００１９】
なお、以下、説明の便宜上、本実施形態の手乾燥装置１を構成する部分（要素）において、手乾燥部４内に配置した手の掌側を乾燥させるための関連要素の各名称には「掌側」と付し、手の甲側を乾燥させるための関連部分の各名称には「甲側」と付することにする。
また、本実施形態の手乾燥装置１では、手をハウジング２の上方から上端開口凹部（手乾燥部）４内へ挿入し、上端開口凹部（手乾燥部）４の掌側内壁面４ａ及び甲側内壁面４ｂにそれぞれ設けられたセンサ３ａ，３ｂが手を検知すると、両内壁面４ａ，４ｂにそれぞれ設けられた複数の掌側用ノズル６ａ及び甲側用ノズル６ｂから、手の掌側及び甲側にそれぞれ温風が吹き付けられるようになっている。
【００２０】
さらに、図３に示すように、ハウジング２の各寸法については、成人の両手を並べて上端開口凹部（手乾燥部）４内へ挿入した際に、掌と手の甲が、上端開口凹部（手乾燥部）４の掌側内壁面４ａ及び甲側内壁面４ｂのそれぞれと接触しないように寸法決めされている。
例えば、ハウジング２の横幅ｗについては、好ましくは２００ｍｍ〜３５０ｍｍであり、最も好ましくは３００ｍｍである。
また、ハウジングの奥行ｄ１は、好ましくは１２０ｍｍ〜２５０ｍｍであり、最も好ましくは１８０ｍｍ〜２００ｍｍである。
さらに、掌側用ノズル６ａと甲側用ノズル６ｂとの距離ｄ２については、好ましくは７０ｍｍ〜１００ｍｍであり、最も好ましくは８５ｍｍである。なお、成人男性の手の幅は、平均的には約８０ｍｍであって、これ以上の間隔であれば手の向きを変える際にも壁面に接触しないで済む。
また、ハウジング２の高さは、好ましくは４５０ｍｍ〜７００ｍｍであり、最も好ましくは６８０ｍｍである。
【００２１】
さらに、ハウジング２の両側面２ｃ，２ｄには、風抜き手段であるルーバー５が設けられ（図５参照）、手乾燥部４内に配置された手にノズル６ａ，６ｂから温風が吹きつけられた際にハウジング２の側面２ｃ，２ｄの方向に飛散した水滴が、このルーバー５により遮断され、風のみがルーバー５を抜けるようになっている。
【００２２】
また、ハウジング２内には、掌側用及び甲側用ノズル６ａ，６ｂのそれぞれに送風するための掌側用及び甲側用ファンモータユニット８ａ，８ｂが互いに隣接して設けられている。
各ファンモータユニット８ａ，８ｂは、その回転駆動軸１０ａ，１０ｂがハウジング２の正面２ａ及び又は背面２ｂに対して垂直な方向に延びるように配置されている（図６及び図７参照）。
なお、掌側用及び甲側用ファンモータユニット８ａ，８ｂとも同一の最大出力を有する同一形態のものであり、両者とも所望に回転駆動軸１０ａ，１０ｂの回転数を変えることができるようになっている。手乾燥装置１の使用時には、掌側用回転駆動軸１０ａが甲側用回転駆動軸１０ｂよりも高速に回転するように各ファンモータユニット８ａ，８ｂを設定し、掌側に供給する風量が手の甲側に供給する風量に比べて大きくするのが好ましい。
また、甲側用ファンモータユニット８ｂは、ハウジング２の底部に隣接して配置され、掌側用ファンモータユニット８ａは、その掌側用回転駆動軸１０ａが甲側用回転駆動軸１０ｂに対して前方斜め上方に位置するように、甲側用ファンモータユニット８ｂの前方斜め上方に隣接して配置されている（図１、図６及び図７参照）。
【００２３】
さらに、各ファンモータユニット８ａ，８ｂの各ケーシング１２ａ，１２ｂの後端部には、掌側用及び甲側用空気吸込口１４ａ，１４ｂがそれぞれ設けられている。
一方、各ファンモータユニット８ａ，８ｂの上方に突出する各吹出ダクト１５ａ，１５ｂの下流端には、掌側用及び甲側用空気吹出口１６ａ，１６ｂがそれぞれ形成されている。この各吹出口１６ａ，１６ｂには、掌側用及び甲側用フィンヒータ１８ａ，１８ｂがそれぞれ設けられ、各フィンヒータ１８ａ，１８ｂにより、各吹出口１６ａ，１６ｂから吹き出される空気が温められるようになっている。
【００２４】
また、ハウジング２の底部２ｅには水受けトレー１９が設けられており、手乾燥部４内において両端がなで肩形状の底面４ｃに落ちて両側に掃けた水が、ハウジング２の両側端にある排水溝（図示せず）を伝って水受けトレー１９内に落ちるようになっている。
さらに、水受けトレー１９の背面側には、フィルタ２０を備えた空気取入口２２が設けられ、この空気取入口２２には、掌側用及び甲側用吸気ダクト２４ａ，２４ｂがそれぞれ接続されている。各吸気ダクト２４ａ，２４ｂは、それらの上流端２６ａ，２６ｂが空気取入口２２のフィルタ２０の上に配置され、各上流端２６ａ，２６ｂと各吸込口１４ａ，１４ｂを連通させるように、各上流端２６ａ，２６ｂからハウジング２の背面２ｂ（ハウジングの背面側内壁面）に沿って上方にほぼ真っ直ぐ延びている（図２、図６及び図７参照）。
手乾燥装置１の作動中、ハウジング２の外部の空気は、空気取入口２２からフィルタ２０を介して、各吸気ダクト２４ａ，２４ｂに別々に吸込まれるようになっている。
【００２５】
さらに、各吸気ダクト２４ａ，２４ｂは、その上端部が各ファンモータユニット８ａ，８ｂの上端部の高さとほぼ等しく、各ファンモータユニット８ａ，８ｂの背面全体を覆うように形成されている。
また、上述したように、掌側用ファンモータユニット８ａを甲側用ファンモータユニット８ｂの前方斜め上方に隣接して配置したことに伴って、掌側用空気吸込口１４ａも甲側用空気吸込口１４ｂに対して前方斜め上方に位置するため、掌側用吸気ダクト２４ａの上流端２６ａから掌側用空気吸込口１４ａまでの掌側用吸気ダクト２４ａの経路は、甲側用吸気ダクト２４ｂの上流端２６ｂから甲側用空気吸込口１４ｂまでの甲側用吸気ダクト２４ｂの経路よりも長くなっている。
さらに、掌側用空気吸込口１４ａが甲側用空気吸込口１４ｂよりも前方に位置するため、掌側用吸気ダクト２４ａ内のスペースについては、その奥行き寸法が甲側用吸気ダクト２４ｂの奥行き寸法よりも大きくなるように確保されており、掌側用吸気ダクト２４ａの平均断面積が甲側用吸気ダクト２４ｂの平均断面積よりも大きく設定されている。
【００２６】
さらに、掌側用吸気ダクト２４ａ及び甲側用吸気ダクト２４ｂ内の各上部において、各ファンモータユニット８ａ，８ｂの各吸込口１４ａ，１４ｂに隣接して掌側用吸音材２８ａ及び甲側用吸音材２８ｂがそれぞれ配置されており、各吸音材２８ａ，２８ｂにより、各ファンモータユニット８ａ，８ｂの作動中に各吸込口１４ａ，１４ｂから漏出した音がそれぞれ吸収されるようになっている。
さらに、各吸気ダクト２４ａ，２４ｂ（吸音材２８ａ，２８ｂ）の上端部の高さ位置は、上述した各ファンモータユニット８ａ，８ｂの各吹出口１６ａ，１６ｂの高さ位置ともほぼ等しくなっており、掌側用空気吹出口１６ａは甲側用空気吹出口１６ｂよりも高い位置に位置している（図６及び図７参照）。
【００２７】
さらに、掌側用空気吹出口１６ａには掌側用吹出ダクト３０ａが接続されており、この掌側用吹出ダクト３０ａは、ハウジング２の正面２ａ（ハウジング２の正面側内壁面）に隣接して吹出口１６ａから、このハウジング２の正面側内壁面に沿って上方に延びるように形成されている。
また、掌側用吹出ダクト３０ａ内の背面は、上述した上端開口凹部（手乾燥部）４の掌側内壁面４ａの裏面を形成しており、ダクト３０ａ内の上部の背面側には、複数の掌側用ノズル６ａが掌側用空気吹出口１６ａのほぼ真上に位置するように配置されている（図１及び図６参照）。
【００２８】
さらに、甲側用空気吹出口１６ｂには、掌側用空気吹出口１６ａと同様に、甲側用吹出ダクト３０ｂが接続されている。この甲側用吹出ダクト３０ｂは、甲側用空気吹出口１６ｂから、上端開口凹部（手乾燥部）４の甲側内壁面４ｂに配置されている複数の甲側用ノズル６ｂへと開口凹部４の甲側内壁面４ｂの裏面に沿って延びるように形成されている。
より詳細には、甲側用吹出ダクト３０ｂは、甲側用空気吹出口１６ｂからほぼ真上に、掌側用ファンモータユニット８ａの掌側用空気吸込口１４ａの高さ位置ぐらいまで延びた後、そこからハウジング２の背面２ｂにかけて斜め上方に、ほぼ上端開口凹部（手乾燥部）４の底面４ｃの高さ位置ぐらいまで延びるように形成されている（図７参照）。その後、吹出ダクト３０ｂは、甲側用吹出ダクト３０ｂ内の正面が上端開口凹部（手乾燥部）４の甲側内壁面４ｂを形成するように上方に延びており、ダクト３０ｂ内の上部の正面側には、複数の甲側用ノズル６ｂが配置されている。
また、甲側用空気吹出口１６ｂから甲側用ノズル６ｂまでの甲側用吹出ダクト３０ｂの経路は、掌側用空気吹出口１６ａから掌側用ノズル６ａまでの掌側用吹出ダクト３０ａの経路よりも長くなっている。
なお、本実施形態においては、フィンヒータ１８ａ，１８ｂは必ずしも必要はなく、設置状況等により、任意に設定可能である。
【００２９】
つぎに、上述した本発明の一実施形態による手乾燥装置１の作用（動作）について説明する。
使用者が手乾燥装置１のハウジング２の手乾燥部４に上方から手を挿入すると、センサ３ａ，３ｂが手を検知し、掌側用ファンモータユニット８ａ及び甲側用ファンモータユニット８ｂが作動する。このとき、掌側用ファンモータユニット８ａの回転駆動軸１０ａが甲側用ファンモータユニット８ｂの回転駆動軸１０ｂよりも高速に回転している。
これらのファンモータユニット８ａ，８ｂの作動により、ハウジング２の空気取入口２２からフィルタ２０を介して掌側用吸気ダクト２４ａ及び甲側用吸気ダクト２４ｂのそれぞれに空気が取り込まれる。
これらの各吸気ダクト２４ａ，２４ｂに取り込まれた空気は、掌側用空気吸込口１４ａ及び甲側用空気吸込口１４ｂから各ファンモータユニット８ａ，８ｂの内部にそれぞれ吸込まれる。
そして空気は、各ファンモータユニット８ａ，８ｂの各吹出口１６ａ，１６ｂで各フィンヒータ１８ａ，１８ｂにより温められて、各吹出ダクト３０ａ，３０ｂに吹き出される。各吹出ダクト３０ａ，３０ｂ内の空気は各ノズル６ａ，６ｂへ送られ、掌側用ノズル６ａ及び甲側用ノズル６ｂから、手乾燥部４内の掌及び手の甲にそれぞれ温風が吹き付けられる。この際、掌側用ノズル６ａから手の掌側に吹きつけられる風量は、甲側用ノズルから手の甲側に吹きつけられる風量よりも大きくなる。
なお、本実施形態の手乾燥装置１においては、一例として、掌側用ノズル６ａと甲側用ノズル６ｂとの距離を８５ｍｍに設定した場合、掌側用ノズル６ａにおける風速は約１００ｍ／ｓであり、甲側用ノズル６ｂにおける風速は約９０ｍ／ｓであり、乾燥時間（両ファンモータユニット８ａ，８ｂの運転時間）は約５秒となる迅速な乾燥運転を実現することができた。
また、これらの風速を発生させるために、直径１３０ｍｍのファンモータを内臓するファンモータユニット（最大外形約１６０ｍｍ）を２個用いたが、各ファンモータユニットをずらして並べたのでスリム化でき、ハウジングの厚みも含めて、ハウジングの外形幅を３００ｍｍにすることができた。
【００３０】
上述した本発明の一実施形態による手乾燥装置１においては、掌側用ファンモータユニット８ａを甲側用ファンモータユニット８ｂの前方斜め上方に隣接して配置したことにより、掌側用ファンモータユニット８ａと甲側用ファンモータユニット８ｂを互いに真横に並置させた場合よりもハウジング２の横幅ｗを小さく設定することができる。この結果、各ファンモータユニット８ａ，８ｂの動力を維持しつつ手乾燥装置１の全体をスリム化することができる。
また、本実施形態による手乾燥装置１によれば、掌側用ファンモータユニット８ａを甲側用ファンモータユニット８ｂの前方斜め上方に隣接して配置したことにより、掌側用吸気ダクト２４ａの上流端２６ａから掌側用空気吸込口１４ａまでの掌側用吸気ダクト２４ａの経路は、甲側用吸気ダクト２４ｂの上流端２６ｂから甲側用空気吸込口１４ｂまでの甲側用吸気ダクト２４ｂの経路よりも長くなっている。この結果、掌側用吸気ダクト２４ａの経路と甲側用吸気ダクト２４ｂの経路が等しい場合に比べて、掌側用ファンモータユニット８ａで生ずる作動音が掌側用空気吸込口１４ａから掌側用吸気ダクト２４ａを経て空気取入口２２より漏れにくくなる。したがって、手乾燥装置１の全体の運転音を約６３ｄｂまで低減させることができる。
さらに、本実施形態による手乾燥装置１によれば、掌側用ファンモータユニット８ａを甲側用ファンモータユニット８ｂの前方斜め上方に隣接して配置したことにより、掌側用空気吹出口１６ａを掌側用ノズル６ａに近づけて、掌側用吹出ダクト３０ａ内の経路を短く設定している。この結果、掌側用ノズル６ａへの風量を大きくする際にも掌側用吹出ダクト３０ａ内の風路抵抗の増加を抑制し、掌側用ファンモータユニット８ａの所要動力の増大を低減することができる。また、掌側用ファンモータユニット８ａで生ずる作動音を抑制することができる。
また、本実施形態による手乾燥装置１によれば、掌側用ファンモータユニット８ａを甲側用ファンモータユニット８ｂよりも前方に配置したことにより、掌側用吸気ダクト２４ａの奥行き寸法が甲側用吸気ダクト２４ｂの奥行き寸法よりも大きくなるように確保されており、掌側用吸気ダクト２４ａの平均断面積が甲側用吸気ダクト２４ｂの平均断面積よりも大きく設定されている。この結果、掌側用ノズル６ａへの風量を大きくする際にも掌側用吸気ダクト２４ａ内の風路抵抗の増加を抑制し、掌側用ファンモータユニット８ａの所要動力の増大を低減することができる。また、掌側用ファンモータユニット８ａで生ずる作動音を抑制することができる。
さらに、本実施形態による手乾燥装置１によれば、掌側用ファンモータユニット８ａを甲側用ファンモータユニット８ｂよりも前方に配置したことにより、掌側用ノズル６ａが掌側用空気吹出口１６ａのほぼ真上に位置するため、掌側用吹出ダクト３０ａの経路を短くして風路抵抗が小さくなるように掌側用吹出ダクト３０ａを形成することができる。
また、本実施形態による手乾燥装置１によれば、ハウジング２の両側面２ｃ，２ｄには、風抜き手段であるルーバー５が設けられているため、このルーバー５により、ハウジング２の側面２ｃ，２ｄの方向に飛散した水滴が遮断されると共に、手乾燥部４内の不快な風の吹き返しを低減させることができる。
【図面の簡単な説明】
【００３１】
【図１】本発明の一実施形態による手乾燥装置を示す正面図である。
【図２】本発明の一実施形態による手乾燥装置を示す背面図である。
【図３】本発明の一実施形態による手乾燥装置を示す平面図である。
【図４】本発明の一実施形態による手乾燥装置を示す底面図である。
【図５】本発明の一実施形態による手乾燥装置を示す左側面図である。
【図６】図１に示す本発明の一実施形態による手乾燥装置のＡ−Ａ断面図である。
【図７】図１に示す本発明の一実施形態による手乾燥装置のＢ−Ｂ断面図である。
【符号の説明】
【００３２】
１  手乾燥装置
２  ハウジング
３ａ，３ｂ  センサ
４  開口凹部（手乾燥部）
５  ルーバー
６ａ  掌側用ノズル
６ｂ  甲側用ノズル
８ａ  掌側用ファンモータユニット
８ｂ  甲側用ファンモータユニット
１０ａ  掌側用ファンモータユニットの回転駆動軸
１０ｂ  甲側用ファンモータユニットの回転駆動軸
１２ａ  掌側用ファンモータユニットのケーシング
１２ｂ  甲側用ファンモータユニットのケーシング
１４ａ  掌側用空気吸込口
１４ｂ  甲側用空気吸込口
１５ａ  掌側用ファンモータユニットの吹出ダクト
１５ｂ  甲側用ファンモータユニットの吹出ダクト
１６ａ  掌側用空気吹出口
１６ｂ  甲側用空気吹出口
１８ａ  掌側用フィンヒータ
１８ｂ  甲側用フィンヒータ
１９  水受けトレー
２０  フィルタ
２２  空気取入口
２４ａ  掌側用吸気ダクト
２４ｂ  甲側用吸気ダクト
２６ａ  掌側用吸気ダクトの上流端
２６ｂ  甲側用吸気ダクトの上流端
２８ａ  掌側用吸音材
２８ｂ  甲側用吸音材
３０ａ  掌側用吹出ダクト
３０ｂ  甲側用吹出ダクト
【図１】
2006075499.tif 000003
【図２】
2006075499.tif 000004
【図３】
2006075499.tif 000005
【図４】
2006075499.tif 000006
【図５】
2006075499.tif 000007
【図６】
2006075499.tif 000008
【図７】
2006075499.tif 000009
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
使用者の手の甲と掌の両側に空気を吹き付けて乾燥させる手乾燥装置であって、
使用者の手が挿入される手乾燥部となる上方に開口した開口凹部をその上端部に形成したハウジングと、
上記ハウジングの下方部分に設けられた空気取入口と、
上記開口凹部を形成するハウジングの甲側内壁面に設けられ上記手乾燥部に空気を吹出す第１空気吹出部と、
上記開口凹部を形成するハウジングの掌側内壁面に設けられ上記手乾燥部に空気を吹き出す第２空気吹出部と、
上記ハウジング内の上記空気取入口に隣接して設けられ、上記ハウジングの前後方向で水平方向に延びる第１駆動軸、この第１駆動軸の後方側に位置し空気を吸い込む第１空気吸込口、上記第１駆動軸の前方側に位置し空気を吹出す第１空気吹出口を備えた第１ファンモータ手段と、
上記第１ファンモータ手段の上方に配置され、上記ハウジングの前後方向で水平方向に延びる第２駆動軸、この第２駆動軸の後方側に位置し空気を吸い込む第２空気吸込口、上記第１駆動軸の前方側に位置し空気を吹出す第２空気吹出口を備えた第２ファンモータ手段と、
上記空気取入口から上記第１ファンモータ手段の上記第１空気吸込口まで延びる第１吸気ダクトと、
上記空気取入口から上記第２ファンモータ手段の上記第２空気吸込口まで延びる第２吸気ダクトと、
上記第１ファンモータ手段の上記第１空気吹出口から上記第１空気吹出部まで延びる第１吹出ダクトと、
上記第２ファンモータ手段の上記第２空気吹出口から上記第２空気吹出部まで延びる第２吹出ダクトと、を有し、
上記第２ファンモータ手段は、上記第１ファンモータ手段とその一部が正面視で幅方向に重なるように配置され、
上記第２吸気ダクトは、上記第１吸気ダクトよりも、その経路が長くなるように形成され、
上記第２吹出ダクトは、上記第１吹出ダクトよりも、その経路が短くなるように形成されていることを特徴とする手乾燥装置。
【請求項２】
上記第２吸気ダクトの断面積は、上記第１吸気ダクトよりも、その入口から出口に至る流路の風路抵抗が小さくなるように設定されている請求項１記載の手乾燥装置。
【請求項３】
上記第１吸気ダクトは、上記空気取入口から上記第１ファンモータ手段の上記第１空気吸込口まで上記ハウジングの後方側内壁面に沿って延び、
上記第２吸気ダクトは、上記空気取入口から上記第２ファンモータ手段の上記第２空気吸込口まで上記ハウジングの後方側内壁面に沿って延び、
上記第１吹出ダクトは、上記第１ファンモータ手段の上記第１空気吹出口から上記ハウジングの後方側内壁面に向って斜め上方に延び、さらに、上記開口凹部の甲側内壁面の裏面に沿って上記第１空気吹出部まで延び、
上記第２吹出ダクトは、上記第２ファンモータ手段の上記第２空気吹出口から上記ハウジングの前方側内壁面及び上記開口凹部の掌側内壁面の裏面に沿って上記第２空気吹出部まで延び、
上記第２空気吹出部は、上記第２空気吹出口のほぼ真上に位置している請求項１又は２に記載の手乾燥装置。
【手続補正２】
【補正対象書類名】明細書
【補正対象項目名】０００６
【補正方法】変更
【補正の内容】
【０００６】
上記の目的を達成するため、本発明は、使用者の手の甲と掌の両側に空気を吹き付けて乾燥させる手乾燥装置であって、使用者の手が挿入される手乾燥部となる上方に開口した開口凹部をその上端部に形成したハウジングと、ハウジングの下方部分に設けられた空気取入口と、開口凹部を形成するハウジングの甲側内壁面に設けられ手乾燥部に空気を吹出す第１空気吹出部と、開口凹部を形成するハウジングの掌側内壁面に設けられ手乾燥部に空気を吹き出す第２空気吹出部と、ハウジング内の空気取入口に隣接して設けられ、ハウジングの前後方向で水平方向に延びる第１駆動軸、この第１駆動軸の後方側に位置し空気を吸い込む第１空気吸込口、第１駆動軸の前方側に位置し空気を吹出す第１空気吹出口を備えた第１ファンモータ手段と、第１ファンモータ手段の上方に配置され、ハウジングの前後方向で水平方向に延びる第２駆動軸、この第２駆動軸の後方側に位置し空気を吸い込む第２空気吸込口、第１駆動軸の前方側に位置し空気を吹出す第２空気吹出口を備えた第２ファンモータ手段と、空気取入口から上記第１ファンモータ手段の上記第１空気吸込口まで延びる第１吸気ダクトと、空気取入口から上記第２ファンモータ手段の第２空気吸込口まで延びる第２吸気ダクトと、第１ファンモータ手段の第１空気吹出口から第１空気吹出部まで延びる第１吹出ダクトと、第２ファンモータ手段の第２空気吹出口から第２空気吹出部まで延びる第２吹出ダクトと、を有し、第２ファンモータ手段は、第１ファンモータ手段とその一部が正面視で幅方向に重なるように配置され、第２吸気ダクトは、上記第１吸気ダクトよりも、その経路が長くなるように形成され、第２吹出ダクトは、第１吹出ダクトよりも、その経路が短くなるように形成されていることを特徴としている。
このように構成された本発明においては、ハウジングの手乾燥部内に手を配置すると、第１及び第２ファンモータ手段が作動する。つぎに、空気取入口から第１及び第２吸気ダクトへ空気が取り込まれ、これらの空気は、第１及び第２吸気ダクトから第１及び第２ファンモータ手段の第１及び第２空気吸込口にそれぞれ吸込まれる。さらに、空気は、第１及び第２ファンモータ手段の第１及び第２空気吹出口から第１及び第２吹出ダクトにそれぞれ吹き出され、最終的には、第１及び第２空気吹出部から手乾燥部の内方へ吹き出される。
本発明によれば、第２ファンモータ手段が第１ファンモータ手段の上方に配置されているため、第２ファンモータ手段における所要動力の増大を低減させると共に、手乾燥装置の運転時における低騒音化を実現することができる。すなわち、第２ファンモータ手段の所要動力を増大させることなく乾燥し難い掌側に吹き出される空気の風量を増加させることができ、低騒音化と高い乾燥効率の両立を図ることが可能となる。
本発明によれば、第２ファンモータ手段が、第１ファンモータ手段とその一部が正面視で幅方向に重なるように配置されているので、手乾燥装置の所要スペースの小型化を実現することができる。
本発明によれば、第１及び第２ファンモータ手段の駆動軸が共に前後方向で水平方向に延び、第１及び第２ファンモータ手段の空気吸込口が後方側（使用者から遠い側）に配置されているので、さらなる低騒音化を実現することができる。
【手続補正３】
【補正対象書類名】明細書
【補正対象項目名】０００７
【補正方法】変更
【補正の内容】
【０００７】
本発明において、好ましくは、第２吸気ダクトの断面積は、第１吸気ダクトよりも、その入口から出口に至る流路の風路抵抗が小さくなるように設定されている。
このように構成された本発明によれば、第２吸気ダクト内の風路抵抗の増加が抑制されるので、第２ファンモータ手段における所要動力の増大を低減させることができる。
【手続補正４】
【補正対象書類名】明細書
【補正対象項目名】０００８
【補正方法】変更
【補正の内容】
【０００８】
本発明において、好ましくは、第１吸気ダクトは、空気取入口から第１ファンモータ手段の第１空気吸込口までハウジングの後方側内壁面に沿って延び、第２吸気ダクトは、空気取入口から第２ファンモータ手段の第２空気吸込口までハウジングの後方側内壁面に沿って延び、第１吹出ダクトは、第１ファンモータ手段の第１空気吹出口からハウジングの後方側内壁面に向って斜め上方に延び、さらに、開口凹部の甲側内壁面の裏面に沿って第１空気吹出部まで延び、第２吹出ダクトは、第２ファンモータ手段の第２空気吹出口からハウジングの前方側内壁面及び開口凹部の掌側内壁面の裏面に沿って第２空気吹出部まで延び、第２空気吹出部は、第２空気吹出口のほぼ真上に位置している。
このように構成された本発明においては、第１及び第２吸気ダクトが上述したように設けられているので、第２ファンモータ手段の作動音が空気取入口から漏れにくくなり、手乾燥装置の運転時の低騒音化を実現することができる。また、第２吹出ダクト内の風路抵抗の増加を抑制しているので、第２ファンモータ手段の所要動力を増大させることなく、乾燥し難い掌側に吹き出される空気の風量を増大させることができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００２９
【補正方法】変更
【補正の内容】
【００２９】
つぎに、上述した本発明の一実施形態による手乾燥装置１の作用（動作）について説明する。
使用者が手乾燥装置１のハウジング２の手乾燥部４に上方から手を挿入すると、センサ３ａ，３ｂが手を検知し、掌側用ファンモータユニット８ａ及び甲側用ファンモータユニット８ｂが作動する。このとき、掌側用ファンモータユニット８ａの回転駆動軸１０ａが甲側用ファンモータユニット８ｂの回転駆動軸１０ｂよりも高速に回転している。
これらのファンモータユニット８ａ，８ｂの作動により、ハウジング２の空気取入口２２からフィルタ２０を介して掌側用吸気ダクト２４ａ及び甲側用吸気ダクト２４ｂのそれぞれに空気が取り込まれる。
これらの各吸気ダクト２４ａ，２４ｂに取り込まれた空気は、掌側用空気吸込口１４ａ及び甲側用空気吸込口１４ｂから各ファンモータユニット８ａ，８ｂの内部にそれぞれ吸込まれる。
そして空気は、各ファンモータユニット８ａ，８ｂの各吹出口１６ａ，１６ｂで各フィンヒータ１８ａ，１８ｂにより温められて、各吹出ダクト３０ａ，３０ｂに吹き出される。各吹出ダクト３０ａ，３０ｂ内の空気は各ノズル６ａ，６ｂへ送られ、掌側用ノズル６ａ及び甲側用ノズル６ｂから、手乾燥部４内の掌及び手の甲にそれぞれ温風が吹き付けられる。この際、掌側用ノズル６ａから手の掌側に吹きつけられる風量は、甲側用ノズルから手の甲側に吹きつけられる風量よりも大きくなる。
なお、本実施形態の手乾燥装置１においては、一例として、掌側用ノズル６ａと甲側用ノズル６ｂとの距離を８５ｍｍに設定した場合、掌側用ノズル６ａにおける風速は約１００ｍ／ｓであり、甲側用ノズル６ｂにおける風速は約９０ｍ／ｓであり、乾燥時間（両ファンモータユニット８ａ，８ｂの運転時間）は約５秒となる迅速な乾燥運転を実現することができた。
また、これらの風速を発生させるために、直径１３０ｍｍのファンモータを内蔵するファンモータユニット（最大外形約１６０ｍｍ）を２個用いたが、各ファンモータユニットをずらして並べたのでスリム化でき、ハウジングの厚みも含めて、ハウジングの外形幅を３００ｍｍにすることができた。